(57)【要約】【課題】固定可能なケーブル太さが可変的であり、ケーブルを固定する手順が簡単なケーブル固定装置を提供する。【解決手段】輪郭の一部が楕円の弧の形状をしており、回転軸８のまわりに回転可能に固定された一対のローラ１を設ける。一対のローラ１は、間隔が最近接するように引っ張り方向の弾性力を加えるばね２で連結されている。挿入口５からケーブルが挿入されるとケーブルに押されてローラ１の間隔が広がる。ケーブルは導出口９の側から引き出される。ケーブルを挿入口５の側から引き抜こうとすると、ローラ１がばね２の力によってケーブルに食い込み、ケーブルを固定する。この状態においてストッパー３をケース穴６とローラ穴７に挿し込むことで、ケーブルは導出口９の側から引っ張る力に対しても固定される。【選択図】  図１
2004159431.tif 000002
【特許請求の範囲】
【請求項１】
２つの可動片と、
前記２つの可動片が互いに最近接するように、前記２つの可動片に結合された弾性部材とを具備し、
前記２つの可動片の間にケーブルが挿入されたとき、前記弾性部材による弾性力を用いて前記２つの可動片により前記ケーブルを固定するケーブル固定装置。
【請求項２】
請求項１において、
前記２つの可動片の各々は、前記ケーブルの挿入方向に回転可能であるケーブル固定装置。
【請求項３】
請求項２において、
前記ケーブルが挿入された状態で、前記２つの可動片の各々は、前記ケーブルと前記弾性部材により、前記挿入方向には回転可能だが、前記ケーブルの引き抜き方向には固定されているケーブル固定装置。
【請求項４】
請求項１から３のうちのいずれか一項において、
所定の範囲内で前記２つの可動片が前記ケーブルと接する接点が前記ケーブルの挿入方向に動くとき前記２つの可動片の間隔は大きくなり、
所定の範囲内で前記接点が前記ケーブルの引き抜き方向に動くとき前記間隔が小さくなることによって前記２つの可動片は前記ケーブルに食い込み前記ケーブルは前記引き抜き方向に固定される、
ケーブル固定装置。
【請求項５】
請求項２から４のうちのいずれか一項において、
前記２つの可動片は、各々が回転軸のまわりに回転可能であり、前記回転軸に垂直な断面の輪郭のうち前記ケーブルに接する部分が楕円の弧をなしている、
ケーブル固定装置。
【請求項６】
請求項２から５のうちのいずれか一項において、
更にストッパー機構を具備し、
前記可動片は、前記ストッパー機構によって前記挿入方向に固定される、
ケーブル固定装置。
【請求項７】
請求項６において、
更に複数の固定穴を設けられた固定板と、
棒状のストッパーとを具備し、
前記２つの可動片の各々には穴が設けられ、
前記ストッパー機構は、前記穴と前記固定穴とに前記ストッパーを挿入することによって前記可動片を前記固定版に固定する機構である、
ケーブル固定装置。
【請求項８】
請求項１から７のうちのいずれか一項において、
更に前記ケーブルが挿入される挿入口と前記ケーブルが引き出される導出口とを設けられたケースを備え、
前記ケースは、前記２つの可動片と前記弾性部材とを収納する、
ケーブル固定装置。
【請求項９】
請求項７において、
更に前記ケーブルが挿入される挿入口と前記ケーブルが引き出される導出口とを設けられたケースを備え、
前記ケースは、前記２つの可動片と前記弾性部材とを収納し、
前記固定板は、前記ケースの側面である、
ケーブル固定装置。
【請求項１０】
可動片と、
前記可動片と対向して設けられた固定部材と、
前記可動片と前記固定部材とに結合された弾性部材とを具備し、
前記可動片と前記固定部材との間にケーブルが挿入されたとき、前記弾性部材による弾性力を用いて前記可動片と前記固定部材により前記ケーブルを固定するケーブル固定装置。
【請求項１１】
請求項１０において、
前記可動片は、前記ケーブルの挿入方向に回転可能であるケーブル固定装置。
【請求項１２】
請求項１１において、
前記ケーブルが挿入された状態で、前記可動片は、前記ケーブルと前記弾性部材により、前記挿入方向には回転可能だが、前記ケーブルの引き抜き方向には固定されているケーブル固定装置。
【請求項１３】
請求項１０から１２のうちのいずれか一項において、
所定の範囲内で前記可動片が前記ケーブルと接する接点が前記ケーブルの挿入方向に動くとき前記可動片と前記固定部材との間隔は大きくなり、
所定の範囲内で前記接点が前記ケーブルの引き抜き方向に動くとき前記間隔は小さくなることによって前記可動片は前記ケーブルに食い込み前記引き抜き方向に固定される、
ケーブル固定装置。
【請求項１４】
請求項１１から１３のうちのいずれか一項において、
前記可動片は回転軸のまわりに回転可能であり、前記回転軸に垂直な断面の輪郭のうち前記ケーブルに接する部分が楕円の弧をなしている、
ケーブル固定装置。
【請求項１５】
請求項１１から１４のうちのいずれか一項において、
更にストッパーを具備し、
前記可動片は、前記ストッパーによって前記挿入方向に固定される、
ケーブル固定装置。
【請求項１６】
請求項１５において、
更に複数の固定穴を設けられた固定板と、
棒状のストッパーとを具備し、
前記可動片には穴が設けられ、
前記ストッパー機構は、前記穴と前記固定穴とに前記ストッパーを挿入することによって前記可動片を前記固定板に固定する機構である、
ケーブル固定装置。
【請求項１７】
請求項１０から１６のうちのいずれか一項において、
更に前記ケーブルが挿入される挿入口と前記ケーブルが引き出される導出口とを設けられたケースを備え、
前記固定部材は、前記ケースの側面であり、
前記ケースは、前記可動片を収納する、
ケーブル固定装置。
【請求項１８】
請求項１７において、
更に前記ケーブルが挿入される挿入口と前記ケーブルが引き出される導出口とを設けられたケースを備え、
前記固定部材と前記固定板とは前記ケースの側面であり、
前記ケースは、前記可動片を収納する、
ケーブル固定装置。
【発明の詳細な説明】
【０００１】
【発明の属する技術分野】
本発明は、ケーブルを固定する装置に関する。
【０００２】
【従来の技術】
電子機器に付属するケーブルに例示されるケーブルは、引きまわしのために、あるいは邪魔にならないような場所に配置するために、固定装置によって、例えば床や壁、電子機器の本体などに固定される。ケーブルにはさまざまな太さのものがあり、太さに対応してさまざまな種類の固定装置がある。メーカ等は、さまざまなケーブルに対応できるように固定装置を用意している。メーカ等が客先に出向いてケーブルの設置を行う場合、客先にあるケーブルの種類の詳細は、出向いて見るまで分からないことがある。顧客が固定装置を購入する場合、固定されるべきケーブル太さが正確に把握されていないことがある。
【０００３】
さまざまな種類のケーブルに対応できるケーブル固定装置が求められている。
【０００４】
ケーブルに固定バンドを巻き付け、その固定バンドの両端を張力を持たせた状態で固定することを特徴とするケーブル固定装置において、ケーブル外径に合わせてバンドを調整する調整機構を備えたケーブル固定装置が知られている（特許文献１参照）。
【０００５】
【特許文献１】特開平８−１８２１６０号公報
【０００６】
【発明が解決しようとする課題】
本発明の目的は、固定可能なケーブル太さが可変的なケーブル固定装置を提供することである。
【０００７】
本発明の他の目的は、少ない手順でケーブルが固定されるケーブル固定装置を提供することである。
【０００８】
本発明の更に他の目的は、ケーブルが一方からは自在に引き出され、他方から引っ張る力に対しては固定されるケーブル固定装置を提供することである。
【０００９】
本発明の更に他の目的は、サイズが小さいケーブル固定装置を提供することである。
【００１０】
本発明の更に他の目的は、環境の汚れによる影響が少ないケーブル固定装置を提供することである。
【００１１】
【課題を解決するための手段】
以下に、［発明の実施の形態］で使用される番号を括弧付きで用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１２】
本発明におけるケーブル固定装置は、２つの可動片（１）と、２つの可動片（１）が互いに最接近するように２つの可動片（１）に結合された弾性部材（２）とを具備している。このようなケーブル固定装置において、２つの可動片（１）にケーブル（１２）が挿入されたとき、弾性部材（２）による弾性力を用いて２つの可動片（１）によってケーブル（１２）が固定される。
【００１３】
このようなケーブル固定装置は、固定可能なケーブルの太さが可変的である。
【００１４】
２つの可動片（１）の各々は、ケーブル（１２）の挿入方向（Ｒ１）に回転可能である。回転可能な２つの可動片（１）を備えたケーブル固定装置は、ケーブルの挿入がスムーズに行われる。
【００１５】
ケーブル固定装置にケーブル（１２）が挿入された状態で、２つの可動片（１）の各々は、ケーブル（１２）と弾性部材（２）とによって、ケーブル（１２）の挿入方向（Ｒ１）には回転可能だが、引き抜き方向（Ｒ２）には固定されている。
【００１６】
所定の範囲内で２つの可動片（１）がケーブル（１２）と接する接点がケーブル（１２）の挿入方向（Ｒ１）に動くとき２つの可動片（１）の間隔（Ｌ）は大きくなる。前記接点がケーブル（１２）の引き抜き方向（Ｒ２）に動くとき２つの可動片（１）の間隔（Ｌ）が小さくなることによってケーブル（１２）に食い込み、ケーブル（１２）は引き抜き方向（Ｒ２）に固定される。
【００１７】
このようなケーブル固定装置によれば、ケーブルが一方からは自在に引き出され、他方から引っ張る力に対しては固定されている。このようなケーブル固定装置は、ケーブル固定装置の一方の側のケーブルをできるだけ弛みが無い状態にしたい場合に便利である。更にこのようなケーブル固定装置は、少ない手順でケーブルを固定する。
【００１８】
２つの可動片（１）は、各々が回転軸（８）のまわりに回転可能であり、回転軸（８）に垂直な断面（２８）の輪郭のうちケーブルに接する部分は楕円の弧をなしている。
【００１９】
ケーブルに接する部分の輪郭が楕円の弧である可動片（１）を用いたケーブル固定装置は、さまざまな太さのケーブルの挿入がスムーズに行なわれる。
【００２０】
本発明によるケーブル固定装置はストッパー機構（３、６、７）を具備している。
【００２１】
本発明によるケーブル固定装置は固定穴（６）を設けられた固定板（１０）と、棒状のストッパー（３）を具備している。２つの可動片（１）の各々には穴（７）が設けられている。前記ストッパー機構（３、６、７）は、穴（７）と固定穴（６）とにストッパー（３）を挿入することで２つの可動片（１）を固定板（１０）に固定する機構である。
【００２２】
固定穴（６）は、可動片（１）の回転に伴って穴（７）が移動するときに穴（７）に次々に重なるように、複数設けられている。こうした複数の固定穴（６）を用いたストッパー機構（３、６、７）を備えたケーブル固定装置は、固定可能なケーブル太さが可変的である。更に、このようなケーブル固定装置は、少ない手順でケーブルを固定する。
【００２３】
ケーブル固定装置は更に、ケーブルが挿入される挿入口（５）とケーブルが引き出される導出口（９）とを設けられたケース（４）を備えている。ケース（４）は、弾性部材（２）によって結合された２つの可動片（１）を収納している。前記固定板（１０）はケース（４）の側面である。
【００２４】
ケーブル固定装置は、床面の近くや物陰など塵埃が多い場所で用いられることが多い。ケース（４）を備えたケーブル固定装置は、環境の汚れによる影響を低減する。ケース（４）を備えたケーブル固定装置は特に、可動片（１）の回転軸（８）、可動片（１）とケーブル（１２）が接触する面あるいは弾性部材（２）に例示される機械的な動作をする部分を環境の汚れから保護し、信頼性が高い。
【００２５】
また本発明によるケーブル固定装置は、可動片（４１）と、可動片に対向して設けられた固定部材（４６）と、可動片（４１）と固定部材（４６）とに結合された弾性部材（４２）とを具備している。こうしたケーブル固定装置は、可動片（４１）と固定部材（４６）との間にケーブル（１２）が挿入されたとき、弾性部材（４２）による弾性力を用いて可動片（４１）と固定部材（４６）とによりケーブル（１２）を固定する。
【００２６】
このようなケーブル固定装置は、可動片（４１）が一つであるためサイズが小さい。このようなケーブル固定装置は、設置に必要なスペースが少ない。このようなケーブル固定装置は、狭い場所で好適に用いられる。
【００２７】
可動片（４１）は、ケーブル（１２）の挿入方向（Ｒ３）に回転可能である。
【００２８】
ケーブル固定装置にケーブル（１２）が挿入された状態で、可動片（４１）は、ケーブル（１２）と弾性部材（４２）とによって、ケーブル（１２）の挿入方向（Ｒ３）には回転可能だが、引き抜き方向（Ｒ４）には固定されている。
【００２９】
所定の範囲内で可動片（４１）がケーブル（１２）と接する接点がケーブル（１２）の挿入方向（Ｒ３）に動くとき可動片（４１）と固定部材（４６）の間隔は大きくなり、前記接点がケーブル（１２）の引き抜き方向（Ｒ４）に動くとき可動片（４１）と固定部材（４６）の間隔は小さくなることによってケーブル（１２）に食い込み、ケーブル（１２）は引き抜き方向（Ｒ４）に固定される。
【００３０】
ケーブル固定装置は更に、ケーブル（１２）が挿入される挿入口（４５）とケーブル（１２）が引き出される導出口（４９）とを設けられたケース（４４）を具備している。前記固定部材（４６）は、ケース（４４）の側面である。ケース（４４）は、可動片（４１）を収納している。
【００３１】
ケース（４４）を備えたケーブル固定装置は、環境の汚れによる影響が少ない。ケーブルを挟む固定部材（４６）としてケース（４４）の側面を用いたケーブル固定装置は、サイズが小さい。
【００３２】
【発明の実施の形態】
［実施の第１形態］
以下、図面を参照しながら本発明の実施の第１形態について説明する。
【００３３】
ケーブル固定装置は、１対のローラ１を備えている。ローラ１の断面の形状は、ローラ１が所定の角度のあいだを所定の向きに回転するとき、２つのローラ１の間隔が連続的に増加する形状である。ローラ１としては、断面が楕円形のものが好適に用いられる。
【００３４】
図２は、ローラ１の断面２８の形状を説明する図である。円２０の直径２１と、楕円２４の短径２５は等しい。半円２２は、円２０を直径２１で切り取ったものである。半楕円２６は、楕円２４を短径２５で切り取ったものである。ローラ１の断面２８は、半径２１の中点２３と短径２５の中点２７が同じ位置になるように直径２１と短径２５とを重ねた形状をしている。断面の輪郭のうち、ケーブルが接しない部分が円弧を含むローラ１を用いたケーブル固定装置は、サイズが小さく好ましい。断面の輪郭のうち、ケーブルが接する部分が楕円の弧をなすローラ１を用いたケーブル固定装置は、ケーブルがスムーズに挿入され好ましい。
【００３５】
ローラ１は、断面２８に垂直な方向に回転軸８を備えている。回転軸８の中心は、中点２３と中点２７と同じ位置である。ローラ１には断面２８に垂直な方向に空けられたローラ穴７と、ローラ穴７より中心から遠い側に断面２８に垂直な方向に開けられたばね穴１１とを備えている。ローラ穴７の中心とばね穴１１の中心とは半楕円２６の長径の上にある。
【００３６】
図３は、ローラ１の斜視図である。ローラ１は、回転軸８に垂直な断面の形状がどこでも同じである筒形をしている。このような形状のローラ１は、ケーブルを固定する上で好ましい。更にローラ１の表面に複数の突起が設けられていると、ケーブルが堅固に固定され、好ましい。
【００３７】
図１（ａ）は、ケース４の回転軸８に垂直な側面である天板１０を取り去った状態のケーブル固定装置の斜視図である。ローラ１は二つが一対となって、各々が回転軸８のまわりに自在に回転しうるようにケース４に設置されている。一対のローラ１は、引っ張り方向に弾性力を加えるばね２で結合されている。
【００３８】
ばね２としては、引張コイルばねが好適に用いられる。ばね２としては、一対のばね穴１１の間の距離に合わせてばね２の端部の位置を簡単に調節できるねじりコイルばねを用いることが更に好ましい。
【００３９】
ばね２の両端は二つのローラ１の各々のばね穴１１に取り付けられ、ばね２の弾性力は二つのばね穴１１を近づける方向に働く。ばね２の弾性力によって、ケーブルが挿入されていないときには、二つのローラ１は、互いに半楕円部の長径方向が内側を向いて一直線上になる向きを取っている。ケース４の側面のうち２本の回転軸８を含む面に垂直な方向を法線とし互いに対向する２つの側面のうちの一方には挿入口５が、他方には導出口９が設けられている。
【００４０】
このようなケース４を備えたケーブル固定装置は、ローラ１に付着しあるいはローラ１の回転に巻き込まれる汚れを低減し、環境による好ましくない影響を低減する。このようなケーブル固定装置は、長期間の使用において性能が安定している。
【００４１】
図１（ｂ）は、天板１０を付けたケーブル固定装置の外形図である。ケース４は、天板１０に複数のケース穴６を備えている。ケース穴６の直径は実質的にローラ穴７の直径と同じである。複数のケース穴６は、ローラ１が回転軸８のまわりに回転するのに伴ってローラ穴７が動くとき、ケース穴６のいずれかとローラ穴７の位置が次々に重なるような位置に設けられている。ケーブル固定装置は更に、ケース穴６およびローラ穴７に挿入されるストッパー３を備えている。
【００４２】
回転軸８の位置は、挿入口５と導出口９を結ぶ方向において挿入口５に寄った側であると、ケース４のサイズが小さくなり好ましい。
【００４３】
回転軸８の位置は、挿入口５と導出口９を結ぶ方向において中央に設けられると、ケーブル固定装置が２つの回転軸８を結ぶ面に対して対称な構成となり、ケーブルを挿入口５の側から挿入しても導出口９の側から挿入しても動作が同じケーブル固定装置が提供される。このようなケーブル固定装置は、挿入口５と導出口９とが区別なく使用され、便利である。
【００４４】
以上の構成を備えたケーブル固定装置は、次のように動作する。
【００４５】
図４を参照して、ケーブルが挿入されていないとき、二つのローラ１は、ばね２の力によって、半楕円部の長径が一直線上になる方向を向いている。
【００４６】
図５を参照して、ケーブル１２が挿入口５から挿入されると、ケーブル１２はローラ１を押す。押されたローラ１は回転軸８のまわりに回転し、二つのローラ１の間隔Ｌは大きくなる。
【００４７】
ケーブル１２と接触する面が楕円の弧をなしているローラ１は、ケーブル１２が挿入されるときに引っかかることがなくなめらかに動く。２つのローラ１を備えたケーブル固定装置は、ケーブル１２が引っかかることなくなめらかに挿入される。
【００４８】
図６を参照して、ローラ１がある角度まで回転すると、二つのローラ１の間隔Ｌがケーブル１２の太さＷと等しくなる。ケーブル１２をさらに挿入し導出口９から引っ張り出しても、ローラ１の角度は変化せず一定である。このとき、ばね２の力によってローラ１はケーブル１２に密着しつづけている。
【００４９】
ケーブル１２を導出口９から引っ張ると、ローラ１には、ケーブル１２との摩擦によって回転軸８を中心に矢印Ｒ１の方向に微小な回転をさせる力が加わる。この回転の方向は、二つのローラ１の間隔Ｌが大きくなる方向である。そのため、ケーブル１２とローラ１の間の摩擦は小さく、ケーブル１２を導出口９から引き出すことは容易である。
【００５０】
図７を参照して、ケーブル１２を挿入口５の側から引っ張ると、ローラ１には、ケーブル１２との摩擦によって回転軸８を中心に矢印Ｒ２の方向に微小な回転をさせる力が加わる。この回転方向は、二つのローラ１の間隔Ｌが小さくなる方向である。そのため、ローラ１はケーブル１２に食い込む。ケーブル１２をさらに挿入口５の側から引っ張ると、ローラ１はますますケーブル１２に食い込む。このようにして、ケーブル１２は挿入口５の側からの引っ張る力に対して固定される。
【００５１】
図６および図７で示される動作を可能とするローラ１としては、本実施の形態における形状の他に、２つのローラ１の間隔が、ケーブルと接する接点がケーブルの挿入方向に動くとき大きくなり、ケーブルの引き抜き方向に動くとき小さくなる形状を有するものが用いられる。そのようなローラ１として、三角形の各頂点がなめらかな曲線をなすように削った形の断面を有するものが例示される。
【００５２】
このように動作するケーブル固定装置において、ケーブルは導出口９の側から自在に引き出され、挿入口５の側から引っ張る力に対しては固定されている。更に、固定可能なケーブルの太さが可変的である。更に、少ない手順でケーブルが挿入口５の側から引っ張る力に対して固定される。
【００５３】
ローラ１がケーブル１２に食い込んだ状態において、ストッパー３が用いられる。ストッパー３をケース穴６から挿し込んでローラ穴７に通すことでローラ１をケース４に対して固定すると、ケーブル１２を導出口９の側から引き出そうとする力に対してローラ１とケーブル１２との間の摩擦力が大きくなり、ケーブル１２は導出口９の側から引き出そうとする力に対して固定される。このようなケーブル固定装置によれば、ケーブルが少ない手順で固定される。
【００５４】
ケース穴６は複数設けられており、固定可能なケーブル太さが可変的である。更に各々のローラ１のローラ穴７が複数のケース穴６の間隔と異なる間隔で複数設けられていると、ローラ１が固定される位置が細かく調節され、望ましい。
【００５５】
［実施の第２形態］
次に本発明の実施の第２形態を説明する。図８を参照して、ケーブル固定装置は一対のローラ３１を備えており、ローラ３１は回転軸３８に垂直な方向の断面が楕円形を短径方向および長径方向で切った四半楕円形をしている。ローラ３１はケース３４に収納され、回転軸３８において回転自在にケース３４に固定されている。ケース３４には挿入口３５と導出口３９とが設けられている。
【００５６】
ローラ３１には、ローラ穴３７とばね穴３３が長径の上から少しずらして設けられている。一対のばね穴３３の間には、ばね穴３３を近づける方向に張力を与えるばね３２が設置されている。ローラ３１は、ケーブルが挿入されていない状態において四半楕円形の弧が挿入口３５の側を向くように設置される。
【００５７】
ケース３４は、挿入口３５あるいは導出口３９が設けられていない側面が回転軸３８に近接するように設計されていると、ケーブル固定装置のサイズが小さくなり好ましい。
【００５８】
実施の第２形態におけるケーブル固定装置は、実施の第１形態と同様に動作する。実施の第１形態においてローラ１とケーブル１２が接する部分は、ローラ１を長径方向および短径方向で分割したときの挿入口５の側の四半楕円部だけである。したがって、実施の第２形態におけるケーブル固定装置は、実施の第１形態におけるケーブル固定装置と同様に動作する。このようなケーブル固定装置は、サイズが小さい。
【００５９】
［実施の第３形態］
本発明の実施の第３形態において、ケーブル固定装置が備えているローラ４１の断面の形状が図９に示されている。ローラ４１は回転軸４８を備えており、回転軸４８に垂直な断面の輪郭は、回転軸４８を中心とする円弧４１ａと、それより小さい円弧４１ｂと、それら２つの円弧を結ぶ２つの直線４１ｃとからなる形状をしている。
【００６０】
図１０は、ケーブル固定装置の断面図である。ケーブル固定装置は、箱型のケース４４を備えている。ケース４４の一つの側面である対向板４６にはケースねじ穴４３が設けられている。
【００６１】
対向板４６に隣接するケース４４の一つの側面には、対向板４６の側の辺に接して挿入口４５が設けられている。挿入口４５に対向する側面には、挿入口に対向する位置に導出口４９が設けられている。
【００６２】
ローラ４１は、ケース４４の内部に、回転軸４８を中心に回転可能に設置されている。回転軸４８は、ケース４４の中心よりも対向板から遠く、挿入口４５が設けられた側面に近い位置に設置されると、ケース４４のサイズを小さくすることができ好ましい。
【００６３】
回転軸４８は、ケース４４の中心よりも対向板から遠く、挿入口４５が設けられた側面と導出口４９が設けられた側面とから等距離に設置されると、ケーブルを挿入口４５から挿入しても導出口４９から挿入してもケーブル固定装置は同じ動作をする。このようなケーブル固定装置は、挿入口４５と導出口４９とを区別する必要がなく便利である。
【００６４】
ローラ４１の円弧４１ｂに近い側には、ねじ穴４７が設けられている。ねじ穴４７とケースねじ穴４３とは、ばね４２によって連結されている。ばね４２の弾性力は、ねじ穴４７とケースねじ穴４３との間に引っ張り方向に働いている。ばね４２の種類としては、実施の第１形態と同様にねじりコイルばねが好適に用いられる。
【００６５】
このような構成を備えたケーブル固定装置は、次のように動作する。
【００６６】
挿入口４５からケーブル１２が挿入されると、ローラ４１は回転軸４８のまわりに回転し、ローラ４１と対向板４６との間隔が大きくなる。ケーブルをさらに挿入し、ローラ４１と対向板との間隔がケーブルの太さと同じになると、ローラ４１の回転は止まる。
【００６７】
図１１を参照して、ケーブル１２を導出口４９から引っ張ると、ローラ４１には、ケーブル１２との摩擦によって回転軸４８を中心に矢印Ｒ３の方向に微小な回転をさせる力が加わる。この回転方向は、ローラ４１と対向板４６との間隔が大きくなる方向である。そのためローラ４１および対向板４６と、ケーブル１２との間に働く摩擦力は小さく、ケーブル１２は導出口４９から容易に引き出される。
【００６８】
図１２を参照して、ケーブル１２を挿入口４５の側から引っ張ると、ローラ４１には、ケーブル１２との摩擦によって回転軸４８を中心に矢印Ｒ４の方向に微小な回転をさせる力が加わる。この回転方向は、ローラ４１と対向板４６の間隔が小さくなる方向である。そのため、ローラ４１と対向板４６がケーブル１２を押し付ける力が強くなる。ケーブル１２をさらに挿入口４５の側から引っ張ると、ローラ４１と対向板４６がケーブル１２を押し付ける力はますます強くなる。このようにして、ケーブル１２は挿入口４５の側からの引っ張る力に対して固定される。
【００６９】
こうしたケーブル固定装置は、更に実施の第１形態と同様に、ケースとローラに場所が対応する穴を設け、それらの穴に挿入されるストッパー棒を用いることによって、ケーブル１２を導出口４９の側からの引っ張りに対しても固定することができる。
【００７０】
本実施の形態によるケーブル固定装置は、固定可能なケーブル太さが可変的であり、少ない手順でケーブルが固定され、サイズが小さい。
【００７１】
【発明の効果】
本発明によれば、固定可能なケーブル太さが可変的なケーブル固定装置が提供される。
【００７２】
更に本発明によれば、少ない手順でケーブルが固定されるケーブル固定装置が提供される。
【００７３】
更に本発明によれば、ケーブルの一方からは自在に引き出され、他方から引っ張る力に対しては固定されるケーブル固定装置が提供される。
【００７４】
更に本発明によれば、サイズが小さいケーブル固定装置が提供される。
【００７５】
更に本発明によれば、環境の汚れによる影響が少ないケーブル固定装置が提供される。
【図面の簡単な説明】
【図１】図１は、ケーブル固定装置を示す斜視図である。
【図２】図２は、ローラの断面の形状を説明する図である。
【図３】図３は、ローラの形状を示す斜視図である。
【図４】図４は、ケーブル固定装置の動作を示す。
【図５】図５は、ケーブル固定装置の動作を示す。
【図６】図６は、ケーブル固定装置の動作を示す。
【図７】図７は、ケーブル固定装置の動作を示す。
【図８】図８は、ケーブル固定装置の斜視図である。
【図９】図９は、ローラの断面の形状を説明する図である。
【図１０】図１０は、ケーブル固定装置の断面図である。
【図１１】図１１は、ケーブル固定装置の動作を示す。
【図１２】図１２は、ケーブル固定装置の動作を示す。
【符号の説明】
１…ローラ
２…ばね
３…ストッパー
４…ケース
５…挿入口
６…ケース穴
７…ローラ穴
８…回転軸
９…導出口
１０…天板
１１…ばね穴
１２…ケーブル
２８…ローラ断面
３１…ローラ
３２…ばね
３３…ばね穴
３４…ケース
３５…挿入口
３７…ローラ穴
３８…回転軸
３９…導出口
４１…ローラ
４２…ばね
４３…ケースばね穴
４４…ケース
４５…挿入口
４７…ばね穴
４８…回転軸
４９…導出口
【図１】
2004159431.tif 000003
【図２】
2004159431.tif 000004
【図３】
2004159431.tif 000005
【図４】
2004159431.tif 000006
【図５】
2004159431.tif 000007
【図６】
2004159431.tif 000008
【図７】
2004159431.tif 000009
【図８】
2004159431.tif 000010
【図９】
2004159431.tif 000011
【図１０】
2004159431.tif 000012
【図１１】
2004159431.tif 000013
【図１２】
2004159431.tif 000014